(57)【要約】【課題】            タンク本体の側壁に開口部を設け、この開口部を開閉可能な蓋体で閉塞するタンクにおいて、蓋体が一気に開放されることなく段階的に開放できる鮮魚用タンクを提供する。【解決手段】          タンク本体の一側壁面下部に開口部が設けられ、この開口部に上端をヒンジ結合した下方開閉構造の蓋体が設けられる。この蓋体の下方にはロックハンドルを備えるロッキングバーが回動自在に横方向に設けられる。このロッキングバーの両端にラッチカムが設けられ、このラッチカムに対応する位置のタンク本体側壁には該ラッチカムが係合するラッチ部材が設けられる。このラッチカムとラッチ部材は、ロッキングバーの閉じ方向の回動では、ラッチカムがラッチ部材に係合し蓋体を開口部に締め付ける力を段階的に増加させて密閉し、ロッキングバーの開方向の回動では蓋体の締め付け力が段階的に緩められ蓋体が段階的に開放するラッチ構造となっている。【選択図】          図１
2005112395.tif 000002
【特許請求の範囲】
【請求項１】
タンク本体の一側壁面下部に開口部が設けられ、該開口部に密閉可能な蓋体が開閉自在に設けられ、
この蓋体は上端をヒンジ結合した下方開閉構造であって、この蓋体の下方にはロックハンドルを備えるロッキングバーが回動自在に横方向に設けられ、このロッキングバーの両端にラッチカムが設けられ、このラッチカムに対応する位置のタンク本体側壁には該ラッチカムが係合するラッチ部材が設けられ、このラッチカムとラッチ部材は、ロッキングバーをロックハンドルで閉じ方向に回動させると、ラッチカムがラッチ部材に係合し蓋体を開口部に締め付け力を段階的に増加させて密閉し、ロッキングバーをロックハンドルで開方向に回動させると、蓋体の締め付け力が段階的に緩められ蓋体が段階的に開放するラッチ機構となっていることを特徴とする鮮魚用タンク。
【請求項２】
前記開口部の周縁に沿って、または蓋体内側面の開口部周縁に対応する位置に沿って、ガスケットが設けられていることを特徴とする請求項１記載の鮮魚用タンク。
【請求項３】
前記蓋体には蓋体の開放状態を保持する係止手段が設けられていることを特徴とする請求項１または２記載の鮮魚用タンク。
【発明の詳細な説明】
【技術分野】
【０００１】
この発明は、鮮魚（活魚も含む）などの水産物を収容および搬送する鮮魚用タンクに関し、特に、鮮魚などの収容物の取出しが容易な鮮魚用タンクに関する。
【背景技術】
【０００２】
従来の鮮魚用タンクは、水産物などの投入を容易とするために上部が開口された箱型の構造とされている。これでは収容物を取出すのに上部の開口から行うので非常に不便であるし、タンク内の水（海水も含む、以下同じ）を棄てるのも困難である。また、タンク内の洗浄も上部からしかできないので非常に不便である。
そこで、従来、このような課題を解決するものとして、容器本体の側壁に開口部を設け、この開口部に開閉蓋を設けた鮮魚用容器が提案された（例えば、特許文献１参照）。この容器によれば、収容物は開口部から取出せるし、洗浄も開口部より行うことができるので好ましいものである。
【０００３】
しかし、この鮮魚用容器は、収容物および水の圧力のため、開閉蓋の開放時に開閉蓋が一気に開放され、収容物が水と一緒に一気に勢いよく放出されるため収容物を傷めるおそれがあるし、危険でもあり、また、水も放出されて広い範囲に放散され広い範囲を汚す課題がある。また、この鮮魚用容器の開閉蓋は、容器本体の開口部の左右両側に、縦方向の開閉蓋支持台を設け、この開閉蓋支持台に横丸棒を挿通し、この横丸棒に取付ける構成となっているために、開閉蓋支持台が外側に突出し、運搬時等に邪魔になるし、製造にも手数がかかる課題もある。
【特許文献１】特許第３２４０４１０号公報
【発明の開示】
【発明が解決しようとする課題】
【０００４】
この発明は、このような課題を解決せんと提案されたものであり、その目的は、タンク本体の側壁面に開口部を設け、この開口部を蓋体で閉塞するタンクにおいて、蓋体が一気に開放されることなく段階的に開放できる鮮魚用タンクを提供することにある。
【課題を解決するための手段】
【０００５】
この発明の鮮魚用タンクは、タンク本体の一側壁面下部に開口部が設けられ、該開口部に密閉可能な蓋体が開閉自在に設けられ、
この蓋体は上端をヒンジ結合した下方開閉構造であって、この蓋体の下方にはロックハンドルを備えるロッキングバーが回動自在に横方向に設けられ、このロッキングバーの両端にラッチカムが設けられ、このラッチカムに対応する位置のタンク本体側壁には該ラッチカムが係合するラッチ部材が設けられ、このラッチカムとラッチ部材は、ロッキングバーをロックハンドルで閉じ方向に回動させると、ラッチカムがラッチ部材に係合し蓋体を開口部に締め付け力を段階的に増加させて密閉し、ロッキングバーをロックハンドルで開方向に回動させると、蓋体の締め付け力が段階的に緩められ蓋体が段階的に開放するラッチ機構となっていることを特徴とする。
これによりタンク内には、鮮魚などの水産物を収容できるし、収容して搬送ができる。この鮮魚などの収容物は、蓋体を開放することによって開口部より取り出しすることができる。また、開口部よりタンク内を洗浄することができる。蓋体の開放は、段階的に行えるので、最初少し開放して水を排出し、次に全開して収容物を取り出す等の操作が可能となり、収容物が一気に放出されることなく品質を傷めることもないし、水が広い範囲に放散することもない。
【０００６】
また、この発明の鮮魚用タンクは、前記開口部の周縁に沿って、または蓋体内側面の開口部周縁に対応する位置に沿って、ガスケットが設けられていることを特徴とする。
これにより開口部における蓋体の密閉性（シール性）が向上し、タンク内の水等も漏れることがない。
【０００７】
さらに、この発明の鮮魚用タンクは、蓋体の開放状態を保持する係止手段が設けられている。
これにより、蓋体は開放状態に保持することができるので、タンク内の収容物の取り出しに蓋体から手を離して取り出し作業ができるので取り出し作業が容易となる。
【発明の効果】
【０００８】
この発明の鮮魚用タンクによれば、次のような効果を奏する。
（１）タンク内には、上部の開口より投入して鮮魚などの収容物を容易に収容することができ、また、収容物はタンクごとに搬送することができる。
（２）タンク内に収容した鮮魚などの収容物は、蓋体を開放することによって開口部より取り出すことができるので、取り出しが容易である。
（３）この時、蓋体は、開口部を段階的に開放できるので、最初少し開放して水を排水し、次に全開して収容物を取り出す等の操作が可能となり、収容物が一気に勢いよく放出されることが防止され品質を傷めることがない。
（４）蓋体は最初少し開放して水を適量ずつ排水することができるので、広い範囲に放散して汚すこともなく、安全である。
（５）蓋体は、ガスケットで密閉されるのでシール性がよく、水等が漏れることもない。
（６）タンク内は開口部より容易に洗浄できるので、常に清潔にしておくことができ、衛生的である。
（７）蓋体は係止手段で開放状態に保持しておくことができるので、収容物の取り出しが容易となる。
【発明を実施するための最良の形態】
【０００９】
この発明の鮮魚用タンクは、タンク本体の一側壁面下部に開口部が設けられ、この開口部に密閉可能な蓋体が開閉自在に設けられる。この蓋体は上端をヒンジ結合した下方開閉構造である。
この蓋体の下方にはロックハンドルを備えるロッキングバーが回動自在に横方向に設けられ、このロッキングバーの両端にラッチカムが設けられ、このラッチカムに対応する位置のタンク本体側壁には、該ラッチカムが係合するラッチ部材が設けられ、このラッチカムとラッチ部材は、ロッキングバーをロックハンドルで閉じ方向に回動させると、ラッチカムがラッチ部材に係合し蓋体を開口部に締め付け力を段階的に増加させて密閉し、ロッキングバーをロックハンドルで開方向に回動させると、蓋体の締め付け力が段階的に緩められ蓋体が段階的に開放するラッチ機構となっている。
前記開口部の周縁に沿って、または蓋体内側面の開口部周縁に対応する位置に沿って、ガスケットが設けられる。また、前記蓋体には、蓋体の開放状態を保持する係止手段が設けられる。
以下、この発明を図面に示す実施例について詳細に説明する。
【実施例】
【００１０】
図１はこの発明の実施例を示す斜視図、図２はこの発明の実施例を示す正面図、図３はこの発明の実施例を示す断面図、図４はこの発明のラッチ機構部分の拡大斜視図、図５はこの発明の蓋体部分の断面図、図６は蓋体の開放状態を保持する係止手段を示す斜視図である。
【００１１】
この発明の鮮魚用タンクは、タンク本体１の前部側壁１ａの下部に開口部２が設けられ（図３および図５参照）、この開口部２に密閉可能な蓋体３が開閉自在に設けられる。タンク本体１は、本例では底板１ｅの周囲に立設する前部及び後部側壁１ａ、１ｂ、左および右側壁１ｃ、１ｄにより上部が開口された箱型（図１参照）に形成され、開口部２は前部側壁１ａに形成されている。この開口部２に開閉可能に設けられた蓋体３は、図５に示すように上端が前部側壁１ａにヒンジ４により取付けられた下方開閉構造となっている。
【００１２】
この蓋体３の下方には、ロッキングバー５が、蓋体３に設けられた軸受部材６に回転自在に支持されて横方向に設けられている。このロッキングバー５にはロックハンドル７が設けられ、このロックハンドル７によりロッキングバー５を回動することができるし、このロックハンドル７をロックすることによってロッキングバー５の回動をロックすることができる。ロックハンドル７は、図４および図６に示すようにロッキングバー５に枢軸８にて回動自在に設けられ、蓋体３に設けた係合部材９（図４参照）に係脱することによってロックしたり、ロック解除したりするようになっている。図４において実線がロック状態を示し、鎖線がロック解除した状態を示している。
【００１３】
前記ロッキングバー５には、ラッチカム１１とラッチ部材１２とで構成するラッチ機構１０が設けられている。。即ち、ラッチ機構１０は、図４に示すようにロッキングバー５の両端にラッチカム１１が設けられ、このラッチカム１１に対応する位置のタンク本体１の前部側壁１ａには該ラッチカム１１が係合するラッチ部材１２が設けられ、ロッキングバー５をロックハンドル７で閉じ方向に回動させると、ラッチカム１１がラッチ部材１２に係合し蓋体３を開口部２に締め付け力を段階的に増加させて密閉し、反対にロッキングバー５をロックハンドル７で開方向に回動させると、蓋体３の締め付け力が段階的に締められ蓋体３が段階的に開放するようになっている。図４に示すロックハンドル７がロックできる状態は、ロックハンドル７でロッキングバー５を閉じ方向に回動し、蓋体３が全閉状態の時に位置する。前記ラッチ機構１０における段階的な締め付け及び緩め（開放）は、各段階ごとにロッキングバー５の回動にクリック感を発生させるようにすると、各段階になったことを知ることができて好ましい。
【００１４】
また、蓋体３には、蓋体３を開放したとき開放状態を保持する係止手段１３を設けると、蓋体３を開放状態に保持しておくことができるので、手で蓋体３を開放状態に支持しなくて済み、収容物の取り出し作業が容易となるし、タンク内の洗浄もし易くなる。本例では図６に示すように前部側壁１ａに鎖１４にフック１５を設け、蓋体３の開放状態の時、フック１５をロッキングバー５に引っ掛けて開放状態を保持する構成を例示している。
なお、開口部の周縁には、図５および図６に示すようにガスケット１６を設けると、蓋体３とのシール性が向上し、水漏れ等が防止されるので好ましい、このガスケットは、蓋体３の内側面の開口部２周縁に対応する位置に沿って設ける構成としてもよい。
【００１５】
以上のような鮮魚用タンクによれば、タンク本体１には、上部の開口より投入して鮮魚などの収容物を収容することができるし、また、収容して運搬することもできる。この時、蓋体３は密閉されて、ロックハンドル７が係合部材９に係合してロックされている。この収容物は蓋体３を開放することによって開口部２より取り出すことができる。蓋体３の開放は、ロックハンドル７を回動し係合部材９からの係合を外し、ロッキングバー５を回動するよこによって行うことができる、即ち、ロックハンドル７を回動し係合部材９からの係合を外すと、ロックハンドル７によりロッキングバー５の回動が可能となる。そこで、ロックハンドル７でロッキングバー５を図４で矢印に示す方向に回動させると、ラッチカム１１とラッチ部材１２で構成するラッチ機構１０により蓋体３の締め付け力が段階的に緩められる。この第１段階の緩めにより蓋体３は少し開くことが可能となり、蓋体３の下部は、開口部２との間に少し開くので、この隙間よりタンク内の水分がまず排出する。次にさらにロックハンドル７でロッキングバー５を回動させると、ラッチカム１１はラッチ部材１２から完全に外れ蓋体３の開きが自由状態となるので、蓋体３を全開し鮮魚などの収容物を取り出す。この時、蓋体３は図６に示すように係止手段１３で全開状態に保持しておくと、作業が容易となる。このようにこの発明では、タンク内の水分だけを排出することが可能となる。従って、最初にまずタンク内の水分だけを排出し、次に鮮魚などの収容物を取り出すことができ、これによりタンク内の収容物が水と一緒に勢いよく放出されることがなく、収容物の品質を傷めることもないし、広範囲への水の飛散も防止できる。
なお、前記実施例はこの発明を制限するものではなく、この発明は要旨を逸脱しない範囲において種々の変形が許容される。
【図面の簡単な説明】
【００１６】
【図１】この発明の実施例を示す斜視図である。
【図２】この発明の実施例を示す正面図である。
【図３】この発明の実施例を示す断面図である。
【図４】この発明のラッチ機構部分の拡大斜視図である。
【図５】この発明の蓋体部分の断面図である。
【図６】蓋体の開放状態を保持する係止手段を示す斜視図である。
【符号の説明】
【００１７】
１  タンク本体
１ａ  前部側壁
２  開口部
３  蓋体
５  ロッキングバー
７  ロックハンドル
９  係合部材
１０  ラッチ機構
１１  ラッチカム
１２  ラッチ部材
１３  係止手段
１５  フック
１６  ガスケット
【図１】
2005112395.tif 000003
【図２】
2005112395.tif 000004
【図３】
2005112395.tif 000005
【図４】
2005112395.tif 000006
【図５】
2005112395.tif 000007
【図６】
2005112395.tif 000008